(57)【要約】【課題】本発明は、本発明は、区画枠体を使用したブロック舗装技術を改良し、夏季のヒートアイランド現象を緩和する手段を併せ持つ新規なブロック舗装を提案にある。【解決手段】本発明は、路盤に連結しながら敷き設する区画枠体であって、当該区画枠体は敷石を挿入する容器状の敷石挿入部を有し、当該敷石挿入部には透水性もしくは透水性ブロックを挿入し、前記敷石挿入部は上部から敷石支持部、保水性部材の充填部に区分され、当該保水性部材の充填部側壁上部には透孔が設けられ区画枠体の保水性部材の充填部を連通させるとともに保水性部材充填部の上部に配管がなされ、当該配管の表面には細孔が設けられ前記保水性部材に水分を供給可能とされたことを特徴とする区画枠体である。【選択図】図1
2006241926.tif 000002
【特許請求の範囲】
【請求項１】
路盤に連結しながら敷き設する区画枠体であって、当該区画枠体は敷石を挿入する容器状の敷石挿入部を有し、当該敷石挿入部には透水性もしくは保水性ブロックを挿入し、前記敷石挿入部は上部から敷石支持部、保水性部材の充填部に区分され、当該保水性部材の充填部側壁上部には区画枠体の保水性部材の充填部を連通させる透孔が設けられるとともに保水性部材充填部の上部に前記保水性部材に水分を供給するため表面に細孔が設けられた配管を通す配管用空間が設けられたことを特徴とする区画枠体。
【請求項２】
請求項1記載の区画枠体を敷き設したことを特徴とするブロック舗装。
【発明の詳細な説明】
【技術分野】
【０００１】
本発明は、新規な区画枠体を用いたブロック舗装技術に属する。
【背景技術】
【０００２】
従来のブロック舗装は、（１）インターロッキングを含むレンガの敷設によるブロック舗装、（２）プラスチック製などの枠体内に木製、タイル製、石製のブロックを挿入し、その枠体に設けた接続部で相互に接続し簡便にブロック舗装を実施する枠体ブロック舗装あるいは（３）前記枠体を敷き設し、枠体に設けた区画部にセメントなどを流し込んでブロック舗装を実施する方法等が知られている。その（２）および（３）のブロック舗装の詳細は特開2000-204507、特開2001-000051、特開2001-003305、特開2001-193006等に開示されている。
【０００３】
枠体に設けられた所定区画内にタイル、石製などの既製のブロックをはめ込みあるいはコンクリートを流し込んでブロック舗装を形成する上記手段の一部には、ブロックを充填する区画とは異なる区画部が設けられている。この区画部は欠落可能な天井部で覆われ、ブロック舗装を完了した後欠落させその部分を雨水の透水性部とし、またその部分に芝を育成させるブロック舗装を可能としている。このブロック舗装技術を改良し、夏季のヒートアイランド現象を緩和する手段を併せ持つ新規なブロック舗装を提案する。
【０００４】
【特許文献１】特開2000-204507
【特許文献２】特開2001-000051
【特許文献３】特開2001-003305
【特許文献４】特開2001-193006
【発明の開示】
【発明が解決しようとする課題】
【０００５】
本発明は、区画枠体を使用したブロック舗装技術を改良し、夏季のヒートアイランド現象を緩和する手段を併せ持つ新規なブロック舗装の提案にある。
【課題を解決するための手段】
【０００６】
本第1の発明は、（１）路盤に連結しながら敷き設する区画枠体であって、（２）当該区画枠体は敷石を挿入する容器状の敷石挿入部を有し、（３）当該敷石挿入部には透水性もしくは保水性ブロックを挿入し、（４）前記敷石挿入部は上部から敷石支持部、保水性部材の充填部に区分され、（５）当該保水性部材の充填部側壁上部には区画枠体の保水性部材の充填部を連通させる透孔が設けられるとともに（６）保水性部材充填部の上部に前記保水性部材に水分を供給するため表面に細孔が設けられた配管を通す配管用空間が設けられた区画枠体である。夏季のヒートアイランド現象を緩和するため敷石挿入部の下部に保水性部材を充填し、さらに配管を通しその表面から水分を供給できるようにした。
本第２の発明は、上記載の区画枠体を敷き設したブロック舗装である。
【発明の効果】
【０００７】
本発明は、区画枠体の敷石挿入部に透水性もしくは保水性ブロックを挿入し、その下部に保水性部材を充填し、水分を供給できるよう配管したため、ヒートアイランド現象の緩和が降雨のないときでも期待できる。
【発明を実施するための最良の形態】
【０００８】
以下本発明を図により詳細に説明する。
図1は、本発明に使用する区画枠体の例である。図に示す例では本区画枠体は、４つに区画され、各区画部は容器状な敷石挿入部となっている。敷石挿入部は上下に分かれ、その上部に保水性もしくは透水性のブロックが支持部を介し挿入される。支持部の下部は透孔を上部に有する保水性部材の充填部となっている。区画枠体内の保水性部材は透孔を介し全体としてつながっている。区画枠体の区画数は４つに限らず任意である。
【０００９】
保水性部材の充填部上部には配管を配設する空間が設けられている。配設する配管はその表面に細孔を有し保水性部材に水分を供給できるようになっている。配管はその表面に細孔を有すればよいので繊維を編んだパイプであってもなんら差し支えがない。配管を設ける場所は前記透孔内でも別の場所であっても差し支えがない。
【００１０】
図２は、上記区画枠体を敷き設したブロック舗装の断面図である。また図3は、上記区画枠体を敷き設した状態を示す概念図である。
図に示すとおり、上部に透水性もしくは保水性のブロックが配列し、その下部の保水性部材充填部に例えば砂、パーキュムライト、パーライト、軽石などの保水性部材が充填されている。充填部の上方には透孔が枠体内の充填部材間に水分をいきわたらせるとともに過剰の雨水を排出する。また透孔と同レベルの位置に配管が縦方向に設けられている。図３に示すとおり、配管がブロック舗装を貫通し、ブロック舗装全体の保水性部材に水分を供給できるようになっている。配管は区画枠体と一体化してもよいが、区画枠体を敷き設後配管してもさしつかえない。
【００１１】
本ブロック舗装は、保水性もしくは吸水性ブロックが、下層の保水性部材からの水分を吸収し、その水分が夏季高温になると揮発し、ブロックの温度を下げる効果がある。ブロックの水分は雨水によっても補充されるが、特に夏場の渇水時には配管により水分を供給することで温度上昇を防ぐ効果が持続する。
【００１２】
本区画枠体はブロック充填部のみから構成されているが、従来の区画枠体と同様透水性区画部を設けておいてもなんら差し支えがない。
またブロック挿入部のブロック支持部は、壁面の張り出しとなっているが底部から立ち上がる支持部であってもなんら差し支えがなく、従来の技術が適用可能である。
【００１３】
透水性もしくは保水性ブロックも既存の市販品を使用することが可能である。
配管の接続も従来のオスメス継ぎ手でもよく、カプラーを使用してもよく既存の技術を利用することができる。
【図面の簡単な説明】
【００１４】
【図１】本発明に使用する区画枠体の例を示す。
【図２】本発明のブロック舗装の断面図を示す。
【図３】本発明のブロック舗装の平面を示す。
【符号の説明】
【００１５】
１  区画枠体
２  ブロック挿入部
３  支持部
４  保水性部材の充填部
５  保水性もしくは透水性ブロック
６  透孔
７  保水性部材
８  配管
【図１】
2006241926.tif 000003
【図２】
2006241926.tif 000004
【図３】
2006241926.tif 000005